(57)【特許請求の範囲】
【請求項１】
透明性プラスチック板材により、前後壁及び左右側壁からなる胴部と、該胴部の後壁上縁から延設する蓋部と、該胴部の下縁四辺から延設する底フラップからなる底部とを有するボックス本体が構成され、前記胴部が平面視で平行四辺形状の拡縮変形によって角筒状の使用形態と偏平に折畳んだ不使用形態とに転換可能であり、
前記底部は、第１の底フラップの組と第２の底フラップの組となるように隣接する２つの底フラップ同士が各々連結され、使用形態で胴部の下方開口を閉鎖し、不使用形態で前記第１の底フラップの組と前記第２の底フラップの組との２つに開離して胴部の内側へ折り込まれるように、連結された底フラップの各組に折り目が設けられ、
前記蓋部は、前縁に使用形態で胴部の前壁上部に被さる前フラップを有すると共に、胴部側に対する止着部を備え、
前記胴部には、蓋部の前記止着部に対し、使用形態で係着し得る位置にある第１係止部と、蓋部を胴部上に重ねた不使用形態で係着し得る位置にある第２係止部とを備え、
ボックス本体内にゴミ袋を収容した使用形態において、前記止着部を前記第１係止部に係着することにより、蓋部が胴部の上方開口を閉鎖した状態で固定される一方、不使用形態において、前記止着部を前記第２係止部に係着した蓋部によって、前記胴部が拡開しないように全体が矩形の折畳み状態で固定されるように構成されてなるゴミ袋保護ボックス。
【請求項２】
前記胴部に少なくとも一対の紐通し孔が設けられてなる請求項１に記載のゴミ袋保護ボックス。
【発明の詳細な説明】
【技術分野】
【０００１】
本発明は、生ゴミ類等を収容したゴミ袋をゴミ集積所に出す際、カラスや犬猫が袋を破って中身を散乱させるのを防ぐために利用するゴミ袋保護ボックスに関する。
【背景技術】
【０００２】
一般的に、家庭や店舗から出る生ゴミ類を含む可燃性ゴミは、合成樹脂フィルム製のゴミ袋に入れ、自治体によって定められた日の早朝に各地区のゴミ集積所に出し、巡回するゴミ収集車によって焼却場へ運ばれて焼却処分されている。ところが、ゴミ集積所では、出されたゴミ袋がゴミ収集車の到着前にカラスや犬猫によって破られ、生ゴミ類を含む中身が周辺に散乱することが多々あり、環境衛生面で大きな問題となっている。
【０００３】
そこで、近年においては、上記のカラスや犬猫による被害を防ぐために、ゴミ集積所に出されたゴミ袋の山全体にネットやシートを被せたり、ゴミ集積所に周囲がネットで囲まれたゴミ集積室（集積箱）を設置することが行われている。また、前記のゴミ集積室として、不使用時には折り畳んで設置スペースを小さくできるものも提案されている（特許文献１〜３）。
【先行技術文献】
【特許文献】
【０００４】
【特許文献１】特開平１０−４５２０５号公報
【特許文献２】特開２００２−８７５０２号公報
【特許文献３】特開２００５−２２８０８号公報
【発明の開示】
【発明が解決しようとする課題】
【０００５】
しかしながら、前記のようにゴミ袋の山全体にネットやシートを被せる方法では、周辺に隙間が生じ易い上、学習能力の高いカラスが自分で捲り挙げて内側へ潜り込むこともあり、またゴミ捨てに来る人の中にはネットやシートをきちんと被せない不心得者がいたりするため、カラスや犬猫による被害を確実には防げない。一方、ゴミ集積所に前記のようなゴミ集積室（集積箱）を設置するにしても、かなりの設備コストを要することに加えて管理に手間がかかり、またゴミ捨てに来る人が出入口扉や投入部の蓋を閉め忘れることで、カラスや犬猫が内部に入り込んで食い散らかすことも往々にしてあった。
【０００６】
本発明は、上述の事情に鑑みて、ゴミ捨てに来る人が各々ゴミ袋を収容することで、カラスや犬猫による被害を確実に防止できると共に、個人専用として取扱い容易で且つ安価に製作可能なゴミ袋保護ボックスを提供することを目的としている。
【課題を解決するための手段】
【０００７】
上記目的を達成するための手段を図面の参照符号を付して示せば、請求項１の発明に係るゴミ袋保護ボックスＢは、透明性プラスチック板材Ｐにより、前後壁１１，１２及び左右側壁１３，１４からなる胴部１と、該胴部１の後壁１２上縁から延設する蓋部２と、該胴部１の下縁四辺から延設する底フラップ３１〜３４からなる底部３とを有するボックス本体１０が構成され、胴部１が平面視で平行四辺形状の拡縮変形によって角筒状の使用形態と偏平に折畳んだ不使用形態とに転換可能であり、
底部３は、底フラップ３１，３４の組と底フラップ３２，３３の組となるように、隣接する２つの底フラップ３１，３４同士と、隣接する２つの底フラップ３２，３３同士とが各々連結され、使用形態で胴部１の下方開口を閉鎖し、不使用形態で底フラップ３１，３４の組と底フラップ３２，３３の組との２つに開離して胴部１の内側へ折り込まれるように、連結された底フラップ３１，３４の組と、連結された底フラップ３２，３３の組との各組に折り目ｆが設けられ、
蓋部２は、前縁に使用形態で胴部１の前壁１１上部に被さる前フラップ２１を有すると共に、胴部１側に対する止着部４を備え、
胴部１には、蓋部２の止着部４に対し、使用形態で係着し得る第１係止部５と、蓋部２を折畳んだ胴部１上に重ねた不使用形態で係着し得る第２係止部６とを備え、
ボックス本体１０内にゴミ袋Ｇを収容した使用形態において、止着部４を第１係止部５に係着することにより、蓋部２が胴部１の上方開口を閉鎖した状態で固定される一方、不使用形態において、止着部４を第２係止部６に係着した蓋部２によって、胴部１が拡開しないように全体が矩形の折畳み状態で固定されるように構成されてなる。
【０００８】
請求項２の発明は、上記請求項１のゴミ袋保護ボックスＢにおいて、胴部１に少なくとも一対の紐通し孔７，７が設けられてなるものとしている。
【発明の効果】
【０００９】
次の本発明の効果について図面の参照符号を付して説明する。請求項１の発明に係るゴミ袋保護ボックスＢによれば、そのボックス本体１０内にゴミ袋Ｇを収容し、止着部４と第１係止部５の係着によって蓋部２を閉めた状態でゴミ集積所に出せるから、カラスや犬猫がゴミ袋Ｇを破って食い散らかすのを完全に防止できる。特に、学習能力の高いカラスにとっては、ゴミ袋保護ボックスＢの胴部１に足掛かりがなく、地上位置か蓋部２上に乗る状態でしか対峙できないから、嘴で止着部４と第１係止部５との係着を外して蓋部２を開くといった複雑な操作は不可能になる。そして、もしもゴミを捨てる人の不注意で蓋部２が開いていて、カラスや犬猫がゴミ袋Ｇを破いて食い散らかすことがあれば、自分のゴミだけが散乱して恥ずかしい目にあうから、誰もが蓋部２の係着に留意することになり、自ずと蓋部２の閉め忘れも起こりにくくなる。また、止着部４を第１係止部５から外すだけで蓋部２を開くことができるから、ゴミ集積所に到着したゴミ収集車の作業者がゴミ袋保護ボックスＢ内のゴミ袋Ｇを容易に取り出してゴミ収集車に積み込むことができる。
【００１０】
加えて、このゴミ袋保護ボックスＢの使用形態では、ボックス本体１０が角箱状になるから、ゴミ集積所において多段に積み重ね易く、それだけ空間効率を高くして省スペースを図り得る。また、ボックス本体１０の全体が透明性プラスチック板材Ｐからなるため、収容したゴミ袋Ｇの状態、更には該ゴミ袋Ｇが透明性の場合には内容物についても外側から視認できるという利点がある。
【００１１】
一方、このゴミ袋保護ボックスＢは、角箱状の使用形態と偏平な不使用形態とに簡単に転換できる上、不使用形態では底部３が２つに開離して胴部１の内側へ折り込まれると共に、蓋部２の止着部４を胴部１の第２係止部６に係着することで、全体が矩形をなす折畳み状態で固定されるから、不使用形態での持ち運びが容易であると共に、保管の際にも嵩張らず必要スペースも僅かで済む。また、この偏平な不使用形態から、止着部４を第２係止部６から外して胴部１を拡開するだけで、底部３が自動的に閉止状態に組み上がって使用形態になり、そのまま胴部１の上方開口からゴミ袋Ｇをボックス本体１０内へ投入できる。
【００１２】
請求項２の発明によれば、胴部１の紐通し孔７，７に適当な紐Ｓを通し、その紐Ｓを周囲のフェンスや金網等に括り付けることより、ゴミ袋保護ボックスＢが強風で飛ばされたり倒れたりするのを防止できる。
【図面の簡単な説明】
【００１３】
【図１】本発明の第１実施形態に係るゴミ袋保護ボックスの使用形態で蓋部を開いた状態とゴミ袋を示す斜視図である。
【図２】同ゴミ袋保護ボックス内にゴミ袋を収容した状態を示す斜視図である。
【図３】同ゴミ袋保護ボックスの使用形態から不使用形態への転換操作を示す斜視図である。
【図４】同ゴミ袋保護ボックスの不使用形態での正面図である。
【図５】同ゴミ袋保護ボックスの内面側から見た展開図である。
【図６】本発明の第２実施形態に係るゴミ袋保護ボックスの使用形態での上部側を示す斜視図である。
【発明を実施するための形態】
【００１４】
以下に、本発明に係るゴミ袋保護ボックスの実施形態について、図面を参照して具体的に説明する。
【００１５】
図１及び図２に示す第１実施形態のゴミ袋保護ボックスＢは、前後壁１１，１２及び左右側壁１３，１４からなる胴部１と、該胴部１の後壁１２上縁から延設する蓋部２と、底部３とでボックス本体１０が構成されている。このボックス本体１０は、図５の展開図で示す形状の１枚の透明性プラスチック板材Ｐより、各折り目ｆでの折曲げと斜線部Ｚ１，Ｚ２での接合によって組み立てられており、図３に示す胴部１の平行四辺形状の拡縮変形により、図１及び図２に示す角箱状の使用形態と、図４に示すように蓋部２が折畳んだ胴部１上に重なる偏平な不使用形態とに転換できるようになっている。
【００１６】
そして、該ボックス本体１０の胴部１は、後壁１２の側縁から延設した連結用フラップ１５を右壁１４の側縁部内面側に重ね、その斜線部Ｚ１で溶着又は接着することにより、前後幅よりも左右幅が大きい角筒状に形成されている。そして、底部２は、胴部１の下縁四辺から延設する底フラップ３１〜３４より構成され、幅広の底フラップ３１，３２の一端側の折り目ｆで区切られた略三角形の連結片３１ａ，３２ａを、胴部１の組立状態において底フラップ３１，３２に各々重ね、その斜線部Ｚ２で溶着又は接着することにより、図１，図２の使用形態では全体でボックス本体１０の下部開口を閉鎖すると共に、図４の不使用形態では各々連結した底フラップ３１，３４の組と底フラップ３２，３３の組との２つに開離して胴部１の内側へ折り込まれるようになっている。なお、このような底部３の組付け構成は、菓子箱を始めとする各種の紙製の組立式包装箱において一般的に採用されているものである。
【００１７】
蓋部２の前縁には前フラップ２１が延設され、この前フラップ２１の左右方向中央部に、止着部４として伸縮性バンド４１を介して鉤形金具が取り付けられている。また、胴部１には、前壁１１の左右方向中央部の上部側外面にポッチ状の第１係止部５が、左壁１３の前寄りの下部側外面にも同様の第２係止部５が、それぞれ溶着又は接着により設けられている。その第１係止部５は、図２に示すように、使用形態で蓋部２を前フラップ２１が胴部１の前壁１１上部に被さるように閉じた際、その止着部４の鉤形金具を係着し得る位置に設けてある。また第２係止部５は、図４に示すように、不使用形態で折畳んだ胴部１上に蓋部２を重ねた際、同止着部４の鉤形金具を係着し得る位置に設けてある。
【００１８】
更に、胴部１の後壁１２の上部側には左右一対の鳩目付きの紐通し孔７，７が設けられると共に、右壁１４の上部側外面にはプラスチックシート片の溶着又は接着による名札入れ８が設けられている。
【００１９】
ここで、ボックス本体１０を構成する透明性プラスチック板材Ｐとしては、特に制約はないが、加工性面より、硬質ポリプロピレン、ＰＥＴの如きポリエステル、ポリアクリル、ポリカーボネート等の熱可塑性樹脂からなる硬質ないし半硬質板材が好適であり、また無色透明とは限らず、樹脂自体の色調や着色剤の含有による有色透明であっても差し支えない。なお、折り目ｆは、一般的に薄肉化で曲げ性を付与して形成されるが、材質によってはミシン目にて形成したり、各部毎に独立したパネル材同士の端縁をゴム質又は軟質のポリマー層や接着テープで接合することで形成することも可能である。また、止着部４の伸縮性バンド４１は、ゴムバンドやゴム糸織込み布材からなる。
【００２０】
ボックス本体１０のサイズとしては、ゴミ袋Ｇの大きさによるが、一般的な自治体指定の家庭用ゴミ袋を対象として、左右幅４０〜６０ｃｍ、前後幅２５〜５０ｃｍ、高さ４０〜８０ｃｍの範囲とすることが推奨される。
【００２１】
なお、上記の第１実施形態では蓋部２の止着部４として伸縮性バンド４１の先に鉤形金具を設けたもの、胴部の第１及び第２係止部５，６として該鉤形金具を係着できるポッチ状のものを用いているが、これら止着部４と第１及び第２係止部５，６とは相互に係着及び離脱し得る組合せであればよく、例えば雌雄嵌合型のホック、圧着ファスナー、フックとリング、フック同士等の様々な係着具を採用できる。因みに、図６に示す第２実施形態のゴミ袋保護ボックスＢでは、蓋部２の前フラップ２１の左右方向中央部に突片２１ａを設け、この突片２１ａに止着部４としてホック雄型を取り付けると共に、胴部１の第１及び第２係止部５，６としてホック雌型（第２係止部６は図示省略）を取り付けている。
【００２２】
上記第１及び第２実施形態のゴミ袋保護ボックスＢでは、生ゴミ類を含む可燃性ゴミを入れたゴミ袋Ｇをボックス本体１０内に収容し、止着部４と第１係止部５の係着によって蓋部２を閉めた状態でゴミ集積所に出せばよい。これにより、カラスや犬猫はゴミ袋保護ボックスＢ内のゴミ袋Ｇに接触できず、ボックス本体１０内に潜り込めないから、ゴミ袋Ｇの中身が食い散らかされる懸念はない。特に学習能力の高いカラスにとっても、ゴミ袋保護ボックスＢの胴部１に足掛かりがなく、地上位置か蓋部２上に乗る状態でしか対峙できないから、嘴で止着部４と第１係止部５との係着を外して蓋部２を開くといった複雑な操作も不可能になる。一方、ゴミ集積所に到着したゴミ収集車の作業者にとっては、止着部４を第１係止部５から外すだけで蓋部２を開くことができるから、ゴミ袋保護ボックスＢ内のゴミ袋Ｇを容易に取り出してゴミ収集車に積み込むことができる。そして、仮にゴミを捨てる人が蓋部２を閉め忘れたせいで、カラスや犬猫がゴミ袋Ｇを破いて食い散らかすことがあれば、自分のゴミだけが散乱して恥ずかしい目にあうから、それを避けるために誰もが自ずと蓋部２の係着に留意することになり、各別に注意を促さずとも蓋部２の閉め忘れも起こりにくくなる。
【００２３】
また、ゴミ袋保護ボックスＢの使用形態では、ボックス本体１０が角箱状をなすから、ゴミ集積所において多段に積み重ね易く、それだけ空間効率を高くしてゴミ集積所の省スペースを図ることもできる。また、ボックス本体１０の全体が透明性プラスチック板材Ｐからなり、収容したゴミ袋Ｇの状態を外から確認でき、更には該ゴミ袋Ｇが透明性の場合には内容物についても外側から視認できるため、不審物の有無も判る。
【００２４】
一方、このゴミ袋保護ボックスＢは、角箱状の使用形態と偏平な不使用形態とに簡単に転換でき、不使用形態では底部３が胴部１の内側へ折り込まれる上、蓋部２の止着部４を胴部１の第２係止部６に係着することで、全体が矩形をなす折畳み状態で固定されるから、不使用形態での持ち運びが容易であり、保管の際にも嵩張らず必要スペースも僅かで済む。また、この偏平な不使用形態から、止着部４を第２係止部６から外して胴部１を拡開するだけで、底部３が自動的に閉止状態に組み上がって使用形態になり、そのまま胴部１の上方開口からゴミ袋Ｇをボックス本体１０内へ投入できて便利である。
【００２５】
また、第１及び第２実施形態のゴミ袋保護ボックスＢでは、胴部１に紐通し孔７，７を有するから、図２の如くこれら紐通し孔７，７に適当な紐Ｓを通し、その紐Ｓを周囲のフェンスや金網等に括り付けておけば、ゴミ袋保護ボックスＢが強風で飛ばされたり倒れたりするのを防止できると共に、名札入れ８に名札を入れておくことで、各人（各家庭）に専用のものとできる。更に、このゴミ袋保護ボックスＢは構成的に簡素で安価に製作できるから、各人（各家庭）が自前で所持したり、自治体が各人（各家庭）に提供する場合にも、費用負担が少なくて済む。
【００２６】
なお、実施形態では胴部１の後壁１２に一対の紐通し孔７，７を設けているが、紐Ｓによる括り付けの向きを選択できるように、左右側壁１３，１４の一方又は両方にも一対の紐通し孔７，７を設けてもよい。また、蓋部２の止着部４を左右一対として、対応する第１係止部５及び第２係止部６も各一対にしてもよい。更に、名札入れ８を設ける代わりに、適当箇所に名札ラベルを貼着したり、名札を紐掛けしたり、更にはマーキングインキで名前を表記することもできる。
【符号の説明】
【００２７】
１          胴部
１０        ボックス本体
１１        前壁
１２        後壁
１３        左側壁
１４        右側壁
２          蓋部
２１        前フラップ
３          底部
３１〜３４  底フラップ
４          止着部
５          第１係止部
６          第２係止部
７          紐通し孔
Ｂ          ゴミ袋保護ボックス
Ｇ          ゴミ袋
Ｐ          透明性プラスチック板材
【図１】
0005832365.tif 000002
【図２】
0005832365.tif 000003
【図３】
0005832365.tif 000004
【図４】
0005832365.tif 000005
【図５】
0005832365.tif 000006
【図６】
0005832365.tif 000007